(57)【要約】【課題】食品や農業などに加えた公害の懸念の中で環境や生活の改善事業は人生社会の一灯である。水質の改善は環境改善の根本規定である。従って、食品や飲料の改善は、生活環境改善の基本である。従って、食品や飲料の改善は、生活環境の改善の基本である。経済環境の悪化時代に安価で誰でもできる自然食材での料理や飲料は健康的で癒しの時代に合致したものである。【解決手段】環境の汚染の悪化は止めどもなく進化の一途にある中で薬草や漢方薬の必需品は必須条件である。誰でも容易に自然食品を取り入れての生活は極めて健康的である。従って、誰でも出来る安価な自然の料理や飲料を楽しむことが一ツの解決手段である。【選択図】        図１
2004276003.tif 000002
【特許請求の範囲】
【請求項１】
対象水中に磁化体を単独又は複数個を浸して（接触）水質の改善を図ることを特徴とした磁化体による水及び熱湯の改善方法。
【請求項２】
磁化体をロープ、生物コード、パイプ、コンテナ、ポット、金属板、プラスチック板及び多孔質の袋体、帯体などに設置及びセットする請求項１の方法。
【請求項３】
磁化体を人工浮島、イカダ、船、ボート、水上スクーター、発泡浮体などに設置及びセットする請求項１、２の方法。
【請求項４】
磁化体をオイルフェンス、養魚網、養殖網、養殖帯体、養殖支柱、養殖ロープ、網体などの用具にセットする請求項１、２の方法。
【請求項５】
磁化体を煎じ、鍋などの容器、炊具鍋、釜、炊飯器、白湯ポットなどの用具に挿入及びセットする請求項１の方法。
【発明の詳細な説明】
【０００１】
自然環境及び生活環境の改善に関する。
【発明の属する技術分野】
【０００２】
【従来の技術】
科学技術の発展に伴い（農業、化学肥料、公害等）大気汚染や酸性雨を生み、これが地球的な環境破壊に発展している現下にあり、このままの状態が１００年も続けば地球の破滅とも言われる中でヒトの生活にも重大な影響を及ぼしている昨今である。
【０００３】
従来技術の問題点
環境の破壊や大気汚染は年ごとに悪化の一途にあり、自然を蝕み、生活に於いても重大な影響を及ぼしているが、今日の技術では量的制限以外にないとも言われている中で対象療法的なものが主流であることはなげかわしい限りである。
【０００４】
【発明が解決しようとする課題】
以上の実情に鑑み、ささやかながら自然環境に貢献できる判断から本発明に至ったものである。
本発明は磁化体を活用して生物の生命物質である水と関連する熱湯の改善を図り以って「ヒトの健康と生活の向上」に寄与する方法を提供するものである。
【０００５】
【課題を解決するための手段】
概  念
以上の構想に基づき、本発明は磁石に金属を組合せて最も有効的に活用して自然環境の改善とヒトの健康の向上による生活環境の改善を図り、ささやかながら悪化する自然環境改善の促進を図るものである。
【０００６】
概  要
本発明は磁石と金属によるイオン化を各対象水に応じた最も有効的に恒常的に持続する特徴は磁石が持つ永久エネルギーから生れたイオン化反応エネルギーである。
且つ磁石が持つ他方のセラミック反応は温度の上昇と共に有効的な反応が働き熱湯の改善を図る。即ち、水の延長は熱湯であり同一の物質である。
【０００７】
磁化体
磁石に対して、イオン化反応する金属、即ち貴なる金属、劣なる金属を問わず磁石に金属を結合させて水中に浸す（接触）と「磁化反応、赤外線反応、イオン化反応」が同時に起り複合的な作用が働く磁化体である。（図１参照）
【０００８】
イオン化傾向（ボルタ列）
金属が電子を放出してイオンとなり溶液中に溶けこもうとする傾向、即ち、イオン化傾向の大、小を金属について順番に並べた列をいう。１、８００年、Ａボルタが、これに相当する系列を発見したのでボルタ列ともいう。ボルタ列でいう水素ガスを基本とした一例は以下の通りである。
リチウム（−３．０４５Ｖ）、マグネシウム（−２．３６３Ｖ）、アルミニウム（−１．６６２Ｖ）、亜鉛（−０．７６３Ｖ）、鉄２価（−０．４４０Ｖ）、水素（０．Ｖ）、銅（＋０．３３７Ｖ），銀（＋０．７９９Ｖ）
【０００９】
水と磁石の反応
酸素が溶存する水中に磁石を浸すと水中酸素と磁石が反応する。即ち、磁石に対して酸素は常磁性体である。従って、水中で磁石が動揺すると磁化反応は倍加すると同時に酸素の新陳代謝が促進するのである。
【００１０】
用  途
（１）  河川、池、湖沼、海洋、水槽、プール、浄化槽、アクアリウム、花器、花立て、浴槽、排水溝、溜マス（会所）、水田、水耕用水、上、下水路、排水路などの水質改善。
（２）  薬草、漢方、健康果実、健康飲料、オレンジ酒、ぶどう酒、アロエ酒、笹酒、桧酒、黒豆酒、くこ酒などの煎じ飲料。
（３）  炊飯、煮物、汁物などの煮物の改善。
（４）  コーヒー、紅茶、ココア、お茶などの嗜好品の改善。
（５）  化粧品、消臭剤、肥料、香料等の改善。
【００１１】
水分子集団の細分化
通常の水（Ｈ２Ｏ）は、単独でなく水分子集団（クラスター）を作り繋がり合っている。即ち、ブドウの房のように繋がり合っているが、水質の悪化に伴い集団化が大きくなる傾向があり、汚物（コロイド状）を抱え込む傾向もある。
従って、集団化の大、小が水質の悪化を示す一ツのバロメーターといわれる所以である。かかる大きい集団化（汚水）を細分化（ミリオンクラスター）する方法として本発明は、磁化反応、遠赤外線反応、イオン化反応の３ツの複合刺激でミリオン化を図り包接した汚物を沈降させて分解処理を図るものである。
【００１２】
適用形態
本発明は磁石による磁化反応と金属の持つイオン化傾向（電位差）の反応、セラミック（磁石）が持つ、遠赤外線反応の３ツの刺激反応を複合的に活用創作したものである。
即ち、磁石は温度の上昇と共に磁化エネルギーが減少する傾向にあるが、磁石が持つ遠赤反応（セラミック反応）の放射量は温度の上昇と共にアップする傾向にある。
従って、水温０度から沸騰に至る温度間に於いても３ツの相乗効果で水質の改善が図れるのである。
【００１３】
【発明の実施の形態】
本発明は、対象水中に磁化体を浸して（接触）磁石が持つ「磁力とセラミック反応（遠赤外線放射）」に加えて金属結合による「イオン化反応」の相乗効果で「水から熱湯」に至る水質の改善を図るものである。従って、用途面はすこぶる広範である。
（１）  河川より排水などの水質。
（２）  薬草、漢方からくこ酒などの煎じ飲料。
（３）  炊飯から煮物などの食品。
（４）  コーヒーからお茶などの嗜好品、化粧品等に及ぶ広範囲である。
即ち、水から熱湯に水温が上昇に至るも水質の変化が起きないのも水の特徴である。
従って、水分子の細分化も、イオン化反応による擬集効果もセラミック（磁石）による遠赤外線の放射反応も、磁石による磁化反応も、水から熱湯に至る過程で本発明は総合刺激反応で水質の改善作用が働くのである。
実施面に於いては、船や浮体（人工浮島、イカダ）ヒモ状ロープやパイプ状、帯状繊維、綱状シート、プラスチック板、金属板に各磁化体を設置又はセットする方法で対象水に浸し、接触させて水質の改善を図る方法と鍋、釜、容器などに水と共に磁化体を浸して沸騰を経て、煎じたり、煮たり、熱湯を嗜好品に使用するなどの実施方法がある。
実施手段については、磁石に結合する金属は余り電位差の大きい金属は好ましくない点に加えて、イオン化反応による錆や、その色に注意が必要である。又、磁石の強、弱については、対象水や容量と目的に照しての考慮が肝要である。
又、最近問題になっている「Ｏ−１５７、レジオネラ菌」などの細菌は磁化反応に対して極度に弱い点と抑制力のある事が最近大学や研究機関で解明されているのも有効的である。特に特長的な点として水温が上昇と共に沸騰点に達すると熱湯に糖度（甘味）が生じることが解ったが、その理由は不明であるが恐らく遠赤外線反応（セラミック）と結合金属によるイオン化反応による作用と思われるが確信はない。水質の改善作用についても不明な点も多々あるが、実施面に於いては成功でも不明な点は存在する。従って、理論的解明は今後の課題であるが、実施面に於いては数々の成功例があり浄化の持続性が長期に及ぶことが本発明の特長である。又磁石と鉄座金による結合が影像磁化反応（イメージマグネット）も特長的である。
又鍋の中央部に磁化体（図１１）を置くだけで「煮こぼれや吹きこぼれ」がおきない事が分かり防火に役立つことも有効的である。
【００１４】
【実施例】
実施例（実験）
以下実施例による発明実施の態様を説明するが例示は単なる説明用のもので発明思想の制限、又は限定を意味するものではない。
【００１５】
（１）  比較実験の各容器に１リッターの水道水を入れ実験容器のみに単独の磁化体を入れて各容器の沸騰後３分後に各飲んで比較して見た。
（１）  非実験白湯（コントロール）  金属臭気と硬さ感あり。
（２）  実験白湯  （磁化湯）        臭気なく軟質感と甘味あり。
【００１６】
（２）  比較実験の各容器に２リッターの水道水を入れ各容器にアズマ笹、３０ｇを入れ、実験容器のみに単独の磁化体を入れて沸騰後５分後（煎じ後）に比較して見た。
（１）  非実験笹湯（コントロール）  緑色うすく、臭気弱い。
（２）  実験笹湯  （磁化湯）        緑色強く、臭気も強く甘味あり。
【００１７】
（３）  比較実験の各容器に２リッターの水と、ぶどうを各２００ｇを入れ、実験容器のみに磁化体を２個入れて、各沸騰後に火を切り約１０分後に各容器に砂糖を約３０ｇとレモン２分の１を入れて密閉後７日後に開封して比較して見た。
（１）  非実験液（コントロール）  ぶどう液
（２）  実験液（磁化体）          発酵中でぶどう酒になった。
【００１８】
（４）  比較実験の各容器（２００ｃｃ）に水を入れ実験容器のみに磁化体１個を入れて、キョウチクトウの枝を容器に差して、その寿命の比較実験をして見た。
（１）  非実験容器  差し枝日より約３０日で枯れる。
（２）  実験容器    差し枝日より９０日を経ても元気。
【００１９】
（５）  比較実験のアクアリウム水槽（６０リッター）に水を入れ、エアー装置完備、下部に砂利約３ｃｍ敷いた同形水槽２個で実験水槽の砂利下部に網状プラスチック板に磁化体６ケを設置（セット）して、各水槽に和金魚８匹を飼育してその後の汚れを比較実験して見た。
（１）  非実験水槽  実験後約１ケ月で飼育不能に汚れる。
（２）  実験水槽    実験後３ケ月後も水替え不用。
【００２０】
（６）  実験のため防火用水槽（約５５０トン）のアオコの発生が旺盛な止水槽を借用して、水質改善の実験をして見た。
図２に示す２ｍのアルミパイプに磁化体４０ケをセットした磁化体１５本を平均的に水底に沈め、発泡浮体にセットした図５の磁化体６ケを平均的間隔で水面上に浮かせて、実験を開始してその後の状況を調べて見た。
（１）実験後２０日頃より改善効果が現れ始める。
（２）  実験後４５日頃には水深約８５ｃｍの水底が見える程改善する。
（３）  実験後６０日頃には、透明度がアップして一応成功の改善効果が認められる状態になる。
【００２１】
例  示
実施は極めて容易で簡単である。従来的な学識や常識で考えにくい方法と思われたが、考えにくい方法も実験を重ねると色々とアイデアが生れることが判かり進展した証の結果である。例えば鍋、釜の煮物の味覚や風味が生れることなど全く考えられない実験的な効果である。又、アオコの抑制に磁石が効果のあることも実験の結果である。
【００２２】
図面は、いずれも磁化体を対象水中に浸す（接触）ための方法の一部であるが対象水に合致するためには磁化体の数量や大小も肝要である。又実施に於いてはいずれも組合わせの応用になるが、結論的には磁化体を対象水中に浸す（接触）技術が水質改善の実を生むのであるが、いずれも請求項に示す材料や用品などに磁化体をセットして対象水の改善を図るのが本発明の技術である。
【００２３】
【発明の効果】
本発明は極めて単純化な方法で誰でも、何処でも可能な方法である。而して、可能な範囲は広範である。現下の自然環境の悪化や生活環境の改善に大いに役立つものである。特に特長的なものは、「Ｏ−１５７やレジオネラ菌」に加えて、スギ花粉などによる公害病の中にあって、細菌類は磁化反応に極めて弱く、抑制力が抜群であるから極めて健康的な発明であり社会生活に大いに貢献できるものである。
【図面の簡単な説明】
【図１】本発明の磁化体を示す斜視図
【図２】磁化体をアルミパイプに貫通してセットした状態を示す側面図
【図３】磁化体を多孔質繊維にセットした状態を示す平面図
【図４】磁化体をステンレス板にセットした状態を示す平面図
【図５】磁化体を円形発泡浮体にセットした状態を示す正面図
【図６】銅版に磁化体をセットして重ねた多重磁化体を示す斜視図
【図７】多重磁化体をポット内部に収容して水面に浮かした状態を示す一部切欠斜視図
【図８】生物コードに磁化体をセットした状態を示す正面図
【図９】磁化体をアルミパイプにセットした状態を示す正面図
【図１０】生物コードに磁化体をセットした状態を示す正面図
【図１１】円形銅版に磁化体をセットした状態を示す一部切欠斜視図
【符号の説明】
１  磁化体
２  多重磁化体
３  磁石
４  アルミ板
５  銅ハトメ
６  アルミパイプ
７  多孔質繊維
８  ステンレス板
９  発泡浮体
１０  ヒモ
１１  アンカー
１２  銅板
１３  蝶ネジ
１４  台
１５  透明カバー
１６  発泡浮体
１７  ポット
１８  小穴
１９  ステンレス板
２０  鉄板
２１  繊維体
２２  アルミパイプ
２３  つまみ（ボルト）
２４  座金
【図１】
2004276003.tif 000003
【図２】
2004276003.tif 000004
【図３】
2004276003.tif 000005
【図４】
2004276003.tif 000006
【図５】
2004276003.tif 000007
【図６】
2004276003.tif 000008
【図７】
2004276003.tif 000009
【図８】
2004276003.tif 000010
【図９】
2004276003.tif 000011
【図１０】
2004276003.tif 000012
【図１１】
2004276003.tif 000013